(57)【要約】      （修正有）【課題】テーブル又はキャビネットにキャスタを結合し、昇降調整構造の回転体を回転させるだけで簡便にキャスタの高さを調整することができるキャスタ昇降調整構造を提供する。【解決手段】縦軸１０、回転体１１、軸スリーブ１２及び底蓋１３を備える。縦軸１０は、上ねじ部１０１及び下ねじ部１０２を有する。回転体１１は、軸スリーブ１２の頂部が挿設可能なように軸スリーブ１２の頂部と同じ形状を有する多辺形凹部が底部に形成され、縦軸１０の下ねじ部１０２が螺入可能なねじ孔１１０が中心部に形成され、底蓋１３が係合可能な弧状溝が周縁内面に形成される。軸スリーブ１２は、下段がキャスタに結合され、回転体１１の底部が凹部内に挿設可能なように多辺形縁１２０が頂部に形成され、縦軸１０の下ねじ部１０２を螺入するねじ槽１２１が中心部に形成される。【選択図】図２
0003188113.tif 000002
【実用新案登録請求の範囲】
【請求項１】
縦軸、回転体、軸スリーブ及び底蓋を備えたキャスタ昇降調整構造であって、
上記縦軸は、上ねじ部及び下ねじ部を有し、
上記回転体は、軸スリーブの頂部が挿設可能なように軸スリーブの頂部と同じ形状を有する多辺形凹部が底部に形成され、縦軸の下ねじ部が螺入可能なねじ孔が中心部に形成され、底蓋が係合可能な弧状溝が周縁内面に形成され、
上記軸スリーブは、下段がキャスタに結合され、上記回転体の底部が凹部内に挿設可能なように多辺形縁が頂部に形成され、上記縦軸の下ねじ部を螺入するねじ槽が中心部に形成され、
上記底蓋は、上記回転体の弧状溝が係合可能な係合縁を頂部に有し、上記軸スリーブの下段が挿設される貫通孔が中心部に形成され、
上記縦軸の下ねじ部は、上記回転体のねじ孔に螺入された後、上記軸スリーブのねじ槽に螺入されてねじ孔とねじ槽とが対応し、上記軸スリーブの頂部に形成された多辺形縁が回転体の底部に形成された多辺形凹部に挿設され、上記縦軸の下ねじ部が底蓋の貫通孔に挿設され、上記底蓋を回転体の底部に挿設し、上記底蓋の頂部に形成された係合縁を回転体の周縁内面に形成された弧状溝に係合させると、上記底蓋と上記回転体とが結合されることを特徴とするキャスタ昇降調整構造。
【請求項２】
上記底蓋の貫通孔の頂面は、上記軸スリーブの頂部に設けられた多辺形縁の下縁に当接され、上記縦軸が回転体と底蓋との間に固定されることを特徴とする請求項１に記載のキャスタ昇降調整構造。
【請求項３】
上記回転体を回転させると、上記回転体に結合された上記軸スリーブ及び上記底蓋も回転し、上記回転体、上記軸スリーブ及び上記底蓋が上記縦軸の下ねじ部の外側で上昇又は下降し、上記軸スリーブに結合されたキャスタの高さが調整されることを特徴とする請求項１に記載のキャスタ昇降調整構造。
【請求項４】
上記縦軸、上記回転体及び上記底蓋を備えたキャスタ昇降調整構造であって、
上記縦軸は、上段に形成されたねじ部を有し、下段がキャスタに結合され、回転体底部が挿設される多辺形縁が上段と下段との間に設けられ、
上記回転体は、縦軸の多辺形縁が挿設可能なように、多辺形縁と同じ形状を有する多辺形凹部が底部中心部に形成され、縦軸のねじ部が螺入可能なねじ孔が中心部に形成され、底蓋が係合可能な弧状溝が周縁内側面に形成され、
上記底蓋は、上記回転体の弧状溝が係合可能な係合縁を頂部に有し、上記縦軸の下段が挿設可能な貫通孔が中心部に形成され、
上記縦軸の下段が底蓋に挿設され、ねじ部を回転体のねじ孔に螺入させると、上記縦軸の多辺形縁が回転体の底部に形成された多辺形凹部に挿設され、上記底蓋の頂部に設けられた係合縁が、上記回転体の周縁内側面に形成された弧状溝に係合されて回転体と結合されることを特徴とするキャスタ昇降調整構造。
【請求項５】
上記底蓋の貫通孔の頂面が上記縦軸の多辺形縁の下縁に当接され、上記縦軸が上記回転体と上記底蓋との間に固定されることを特徴とする請求項４に記載のキャスタ昇降調整構造。
【請求項６】
上記回転体を回転させると、上記回転体に結合された上記縦軸及び上記底蓋も回転し、上記縦軸に結合されたキャスタが上昇又は下降し、キャスタの高さが調整されることを特徴とする請求項４に記載のキャスタ昇降調整構造。
【考案の詳細な説明】
【技術分野】
【０００１】
本考案は、キャスタ昇降調整構造に関し、特に、回転体を回転させてテーブル又はキャビネットに結合されたキャスタを上昇又は下降させ、キャスタの高さを調整するキャスタ昇降調整構造に関する。
【背景技術】
【０００２】
日常生活で使用する家具（例えば、テーブル、キャビネット、椅子など）は、移動が容易なように、その底部又はシートレッグにキャスタが取り付けられている。また、一部のキャスタには、水平でない地面によりテーブル又はキャスタが傾くことを防ぐために、高さが調整できるようになっている。従来の高さ調整することが可能なキャスタは、スパナによりナットを回してキャスタの高さを調整することが最も一般的な調整方式であるが、スパナによりナットを回転させる方式は不便である。また、この方式ではナットが頻繁に回転されるため容易に磨耗し、ナットから緩める際もスパナを用いるため、スパナを使用してキャスタを調整する方式は理想的な方式ではなかった。
【０００３】
また、一般にキャスタが取り付けられる場所は家具の底部であるため、スパナの使用空間が狭くてキャスタの調整が困難となったり、調整作業が困難なことから調整作業の意欲に悪影響を与える虞があった。
【考案の概要】
【考案が解決しようとする課題】
【０００４】
本考案の目的は、テーブル又はキャビネットにキャスタを結合し、昇降調整構造の回転体を回転させるだけで簡便にキャスタの高さを調整することができるキャスタ昇降調整構造を提供することにある。
【課題を解決するための手段】
【０００５】
上記課題を解決するために、本考案の第１の形態によれば、縦軸、回転体、軸スリーブ及び底蓋を備えたキャスタ昇降調整構造であって、縦軸は、上ねじ部及び下ねじ部を有し、回転体は、軸スリーブの頂部が挿設可能なように軸スリーブの頂部と同じ形状を有する多辺形凹部が底部に形成され、縦軸の下ねじ部が螺入可能なねじ孔が中心部に形成され、底蓋が係合可能な弧状溝が周縁内面に形成され、軸スリーブは、下段がキャスタに結合され、回転体の底部が凹部内に挿設可能なように多辺形縁が頂部に形成され、縦軸の下ねじ部を螺入するねじ槽が中心部に形成され、底蓋は、回転体の弧状溝が係合可能な係合縁を頂部に有し、軸スリーブの下段が挿設される貫通孔が中心部に形成され、縦軸の下ねじ部は、回転体のねじ孔に螺入された後、軸スリーブのねじ槽に螺入されてねじ孔とねじ槽とが対応し、軸スリーブの頂部に形成された多辺形縁が回転体の底部に形成された多辺形凹部に挿設され、縦軸の下ねじ部が底蓋の貫通孔に挿設され、底蓋を回転体の底部に挿設し、底蓋の頂部に形成された係合縁を回転体の周縁内面に形成された弧状溝に係合させると、底蓋と回転体とが結合されることを特徴とするキャスタ昇降調整構造が提供される。
【０００６】
底蓋の貫通孔の頂面は、軸スリーブの頂部に設けられた多辺形縁の下縁に当接され、縦軸が回転体と底蓋との間に固定されることが好ましい。
【０００７】
回転体を回転させると、回転体に結合された軸スリーブ及び底蓋も回転し、回転体、軸スリーブ及び底蓋が縦軸の下ねじ部の外側で上昇又は下降し、軸スリーブに結合されたキャスタの高さが調整されることが好ましい。
【０００８】
上記課題を解決するために、本考案の第２の形態によれば、縦軸、回転体及び底蓋を備えたキャスタ昇降調整構造であって、縦軸は、上段に形成されたねじ部を有し、下段がキャスタに結合され、回転体底部が挿設される多辺形縁が上段と下段との間に設けられ、回転体は、縦軸の多辺形縁が挿設可能なように、多辺形縁と同じ形状を有する多辺形凹部が底部中心部に形成され、縦軸のねじ部が螺入可能なねじ孔が中心部に形成され、底蓋が係合可能な弧状溝が周縁内側面に形成され、底蓋は、回転体の弧状溝が係合可能な係合縁を頂部に有し、縦軸の下段が挿設可能な貫通孔が中心部に形成され、縦軸の下段が底蓋に挿設され、ねじ部を回転体のねじ孔に螺入させると、縦軸の多辺形縁が回転体の底部に形成された多辺形凹部に挿設され、底蓋の頂部に設けられた係合縁が、回転体の周縁内側面に形成された弧状溝に係合されて回転体と結合されることを特徴とするキャスタ昇降調整構造が提供される。
【０００９】
底蓋の貫通孔の頂面が縦軸の多辺形縁の下縁に当接され、縦軸が回転体と底蓋との間に固定されることが好ましい。
【００１０】
回転体を回転させると、回転体に結合された縦軸及び底蓋も回転し、縦軸に結合されたキャスタが上昇又は下降し、キャスタの高さが調整されることが好ましい。
【図面の簡単な説明】
【００１１】
【図１】本考案の一実施形態に係るキャスタ昇降調整構造を示す斜視図である。
【図２】本考案の一実施形態に係るキャスタ昇降調整構造を示す分解斜視図である。
【図３】本考案の一実施形態に係るキャスタ昇降調整構造を示す断面図である。
【図４】本考案の一実施形態に係るキャスタ昇降調整構造をキャスタに結合したときの状態を示す模式図である。
【図５】本考案の一実施形態に係るキャスタ昇降調整構造を示す断面図である。
【図６】本考案の他の実施形態に係るキャスタ昇降調整構造を示す斜視図である。
【図７】本考案の他の実施形態に係るキャスタ昇降調整構造を示す分解斜視図である。
【図８】本考案の他の実施形態に係るキャスタ昇降調整構造を示す断面図である。
【図９】本考案の他の実施形態に係るキャスタ昇降調整構造をキャスタに結合するときの状態を示す模式図である。
【図１０】本考案の他の実施形態に係るキャスタ昇降調整構造が動作するときの状態を示す模式図である。
【考案を実施するための形態】
【００１２】
以下、本考案の実施形態について図に基づいて説明する。なお、これによって本考案が限定されるものではない。
【００１３】
図１〜図３を参照する。図１〜図３に示すように、本考案の一実施形態に係るキャスタ昇降調整構造は、少なくとも縦軸１０、回転体１１、軸スリーブ１２及び底蓋１３から構成される。縦軸１０は、上ねじ部１０１及び下ねじ部１０２を有する。回転体１１は、軸スリーブ１２の頂部が挿設可能なように軸スリーブ１２の頂部と同じ形状を有する多辺形凹部１１１が底部に形成され、縦軸１０の下ねじ部１０２が螺入可能なねじ孔１１０が中心部に形成され、底蓋１３が係合可能な弧状溝１１２が周縁内面に形成されている。軸スリーブ１２は、下段がキャスタ２に結合され、回転体１１の底部が多辺形凹部１１１内に挿設可能なように多辺形縁１２０が頂部に形成され、縦軸１０の下ねじ部１０２を螺入するねじ槽１２１が中心部に形成されている。底蓋１３は、回転体１１の弧状溝１１２が係合可能な係合縁１３０を頂部に有し、軸スリーブ１２の下段が挿設される貫通孔１３１が中心部に形成されている。
【００１４】
縦軸１０の下ねじ部１０２は、回転体１１のねじ孔１１０に螺入された後、軸スリーブ１２のねじ槽１２１に螺入され、軸スリーブ１２の頂部に形成された多辺形縁１２０が回転体１１の底部に形成された多辺形凹部１１１に挿設され、軸スリーブ１２が回転体１１の回転に伴って回転すると、縦軸１０の下ねじ部１０２が底蓋１３の貫通孔１３１に挿設され、底蓋１３を回転体１１底部に挿設し、底蓋１３の頂部に形成された係合縁１３０を回転体１１の周縁内面に形成された弧状溝１１２に係合させると、貫通孔１３１の頂面が軸スリーブ１２の頂部に設けられた多辺形縁１２０の下縁に当接され、回転体１１と底蓋１３との間に軸スリーブ１２が固定される。
【００１５】
図４及び図５を参照する。図４及び図５に示すように、本考案の一実施形態に係るキャスタ昇降調整構造は、軸スリーブ１２の下段にキャスタ２が結合され、縦軸１０の上ねじ部１０１と、テーブル又はキャビネット３の底部に設けられた脚体３０とが結合されているため、回転体１１を回転させると、回転体１１に結合された軸スリーブ１２及び係合縁１３０が回転し、回転体１１、軸スリーブ１２及び底蓋１３が縦軸１０の下ねじ部１０２の外側で上昇又は下降するため、軸スリーブ１２に結合されたキャスタ２の高さを調整することができる。
【００１６】
図６〜図８を参照する。図６〜図８に示すように、本考案の他の実施形態に係るキャスタ昇降調整構造は、少なくとも縦軸１４、回転体１１及び底蓋１３から構成される。縦軸１４は、上段に形成されたねじ部１４０を有し、下段がキャスタ２に結合され、上段と下段との間には、回転体１１の底部に挿設される多辺形縁１４１が設けられている。回転体１１は、縦軸１４の多辺形縁１４１が挿設可能なように、多辺形縁１４１と同じ形状を有する多辺形凹部１１１が底部中心部に形成され、縦軸１０のねじ部１４０が螺入可能なねじ孔１１０が中心部に形成され、底蓋１３が係合可能な弧状溝１１２が周縁内側面に形成されている。底蓋１３は、回転体１１の弧状溝１１２が係合可能な係合縁１３０を頂部に有し、縦軸１４の下段が挿設可能な貫通孔１３１が中心部に形成されている。
【００１７】
縦軸１４の下段が底蓋１３に挿設され、ねじ部１４０が回転体１１のねじ孔１１０に螺入されると、縦軸１４の多辺形縁１４１が回転体１１の底部に形成された多辺形凹部１１１に挿設され、底蓋１３の頂部に設けられた係合縁１３０が、回転体１１の周縁内側面に形成された弧状溝１１２に係合されて回転体１１と結合され、貫通孔１３１の頂面が、縦軸１４の多辺形縁１４１の下縁に当接され、縦軸１４が回転体１１と底蓋１３との間に固定される。
【００１８】
図９及び図１０を参照する。図９及び図１０に示すように、実際に使用する際、本実施形態の縦軸１４の下段をキャスタ２に結合し、ねじ部１４０をテーブル又はキャビネット３の底部に設けられた脚体３０に結合させ、回転体１１を回転させると回転体１１に結合された縦軸１４及び底蓋１３も回転し、回転体１１、縦軸１４及び底蓋１３がテーブル又はキャビネット３の底部で上昇又は下降し、縦軸１４に結合されたキャスタ２を上昇又は下降させ、キャスタ２の高さが調整される。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
２      キャスタ
３      テーブル又はキャビネット
１０    縦軸
１１    回転体
１２    軸スリーブ
１３    底蓋
１４    縦軸
３０    脚体
１０１  上ねじ部
１０２  下ねじ部
１１０  ねじ孔
１１１  凹部
１１２  弧状溝
１２０  多辺形縁
１２１  ねじ槽
１３０  係合縁
１３１  貫通孔
１４０  ねじ部
１４１  多辺形縁
【図１】
0003188113.tif 000003
【図２】
0003188113.tif 000004
【図３】
0003188113.tif 000005
【図４】
0003188113.tif 000006
【図５】
0003188113.tif 000007
【図６】
0003188113.tif 000008
【図７】
0003188113.tif 000009
【図８】
0003188113.tif 000010
【図９】
0003188113.tif 000011
【図１０】
0003188113.tif 000012
【手続補正書】
【提出日】平成25年10月29日(2013.10.29)
【手続補正１】
【補正対象書類名】実用新案登録請求の範囲
【補正対象項目名】請求項４
【補正方法】変更
【補正の内容】
【請求項４】
縦軸、回転体及び底蓋を備えたキャスタ昇降調整構造であって、
上記縦軸は、上段に形成されたねじ部を有し、下段がキャスタに結合され、回転体底部が挿設される多辺形縁が上段と下段との間に設けられ、
上記回転体は、縦軸の多辺形縁が挿設可能なように、多辺形縁と同じ形状を有する多辺形凹部が底部中心部に形成され、縦軸のねじ部が螺入可能なねじ孔が中心部に形成され、底蓋が係合可能な弧状溝が周縁内側面に形成され、
上記底蓋は、上記回転体の弧状溝が係合可能な係合縁を頂部に有し、上記縦軸の下段が挿設可能な貫通孔が中心部に形成され、
上記縦軸の下段が底蓋に挿設され、ねじ部を回転体のねじ孔に螺入させると、上記縦軸の多辺形縁が回転体の底部に形成された多辺形凹部に挿設され、上記底蓋の頂部に設けられた係合縁が、上記回転体の周縁内側面に形成された弧状溝に係合されて回転体と結合されることを特徴とするキャスタ昇降調整構造。